(57)【要約】密封式コンプレッサのモータのための電気コネクタ装置であって、電気モータの固定子の薄板積層６に対して設置される電気絶縁体を具備し、電気モータの固定子のコイル巻線７からのワイヤをそれぞれ受けかつ付設させる複数の結合ポスト２２と、結合ポスト２２に電気的に接続されるとともに、それぞれの導体３０によって、密封式コンプレッサに接続される接触端子と、固定子の薄板積層６に設けられた保持穴１１内に嵌合されかつ固定される少なくとも１つの固定手段２３とを支持する。
2004515713.tif 000002
【特許請求の範囲】
【請求項１】
密封式コンプレッサのモータのための電気コネクタ装置であって、前記モータは、密封シェル（１）の内部に取り付けられるとともに、重ねられかつコイル巻線（７）を収容する薄板積層（６）によって形成される固定子を含み、前記シェル（１）は、電流供給源への接続のための電力インレットプラグ（８）を備え、電気コネクタ装置は、前記固定子の薄板積層（６）に対して設置される電気絶縁体を具備し、コイル巻線（７）からのワイヤをそれぞれ受けかつ付設する複数の結合ポスト（２２）と、前記結合ポスト（２２）に電気的に接続されるとともに、それぞれの導体（３０）によって、前記シェル（１）の前記電力インレットプラグ（８）に接続される接触端子と、前記固定子の薄板積層（６）に設けられた保持穴（１１）内に嵌合されかつ固定される少なくとも１つの固定手段（２３）とを支持することを特徴とする、電気コネクタ装置。
【請求項２】
前記電気絶縁体が、前記固定子の薄板積層（６）の端部積層の１つに対して設置されることを特徴とする、請求項１に記載の装置。
【請求項３】
前記保持穴（１１）が、前記コイル巻線（７）の外側に、前記固定子の薄板積層（６）に軸方向に設けられることを特徴とする、請求項２に記載の装置。
【請求項４】
前記固定手段（２３）が、前記薄板積層（６）の保持穴（１１）内に締まりばめによって嵌合されることを特徴とする、請求項３に記載の装置。
【請求項５】
前記固定手段（２３）が、前記電気絶縁体の下方の突起部の形態をなし、前記突起部が外周リブ（２４）の拡張部を有することを特徴とする、請求項４に記載の装置。
【請求項６】
前記保持穴（１１）が、前記外周リブ（２４）の拡張部を含む前記突起部の径よりも小さな径を有することを特徴とする、請求項５に記載の装置。
【請求項７】
前記外周リブ（２４）の拡張部が、前記保持穴（１１）内への導入のために、互いに平行に整列されるとともに、弾性的な可撓性を有していることを特徴とする、請求項６に記載の装置。
【請求項８】
前記電気絶縁体に結合された支持係止部（２５）を具備し、支持係止部が、前記固定子の隣接するコイル巻線（７）に付設されることを特徴とする、請求項１に記載の装置。
【請求項９】
前記支持係止部（２５）が、前記固定子のコイル巻線（７）に固定されることを特徴とする、請求項８に記載の装置。
【請求項１０】
前記支持係止部（２５）が、前記電気絶縁体の上部の後方突起部であることを特徴とする、請求項９に記載の装置。
【請求項１１】
前記電気絶縁体が、前記固定子の薄板積層（６）の隣接する外壁部に対して設置されるための案内を規定する、少なくとも１つの前部フランジ（２６）を設けられていることを特徴とする、請求項１０に記載の装置。
【請求項１２】
前記接触端子が、前記結合ポスト（２２）によって規定されることを特徴とする、請求項１に記載の装置。
【発明の詳細な説明】
【０００１】
（発明の分野）
本発明は、冷蔵庫、冷凍庫、冷水器、その他などの冷却機器に用いられるタイプの密封式コンプレッサの電気モータに用いられ、コンプレッサのシェルに設けられる電力インレットプラグに電気モータのコイルを、コンプレッサの密封シェルの内部で接続するための電気コネクタ装置に関連している。
【０００２】
（発明の背景）
密封式コンプレッサのモータは、通常、その密封シェルの内部に取り付けられた回転子および固定子を具備しており、固定子は、主コイルおよび二次コイルによって形成される。前記モータは、電力インレットプラグに適切な配線で接続することにより、前記密封シェルの外部の電源から電流が供給される。電源は、前記密封シェルの外部に取り付けられ、前記電気モータの固定子に電気的に接続される。
【０００３】
知られている構成において、その内部を通して、固定子を密封シェルの電力インレットプラグに接続するために、各銅ワイヤをケーブルに接合する金属片を締め付けることによって、固定子の何本かの銅ワイヤ、通常は３本の銅ワイヤが、ケーブルに接続される。そのケーブルは、それからシェルに接続される。各ワイヤについて、２個の部品を一緒に締め付けした後、形成されたアセンブリは、熱的に収縮可能な絶縁カバーを受け、その絶縁カバーは、そのようにして得られる前記接続を保護する。接続後、全体のアセンブリは、モータを形成するコイルの内部に配置される。
【０００４】
この構成は、例えば締め付けステップにおいて、自動化が困難であるなどのいくつかの不都合を有し、また、例えば意図された接続の低い効率、および前記接続を得るためのプロセスにおける失敗に起因する、多数の欠陥および排除を伴って、得られる電気接続の品質を低下させる。
【０００５】
他の知られている構成において、コンプレッサのシェルに対するモータの電気接続は、電気接続装置を通して行われる。その電気接続装置は、コンプレッサのシェルに電気的に接続されるモータコイルからの各銅ワイヤを受け、かつそれぞれの接触受台において前記ワイヤの各々を収容する。この解決方法は自動化を可能とし、かつ締め付けにより得られる電気接続と比較して、コンプレッサのモータと密封シェルとの間の電気接続の品質を改善するが、電気接続装置のために知られている構成は、コンプレッサの密封シェルの内部で電気接続装置を保持する形態に関連する欠点を有する。
【０００６】
コンプレッサの密封シェルの内部で電気接続装置を付設するための知られている解決方法の一つにおいて、前記電気接続装置を形成しかつ歯が設けられている部品の１つは、電気モータの固定子に締まりばめによって付設される。
【０００７】
他の知られている解決方法において、固定子に付設される部品は、フランジが設けられ、フランジは、締め付ける前に固定子の一部に嵌合される。
【０００８】
第１の固定の選択肢においては、不都合は、通常プラスチックである材料の経年変化に起因して、および電気接続装置と固定子ワイヤとの間に、時間と共に材料疲労へ導き得る相対的な移動を生じさせる可能性に起因して、固定手段が容易に破損されるという事実による。さらに、この構成は、接続における望ましくない振動の発生を許容する。第２の固定の選択肢においては、不都合は、固定子に固定される電気接続装置の各フランジについて、その固定ポイントが失われるという事実から生じる。知られている固定においては、固定子の３個の固定ポイントが、このプロセスによって失われる。
【０００９】
（発明の概要）
したがって、本発明の目的は、密封式コンプレッサのモータのための電気コネクタ装置であって、破壊または疲労といった欠点をもたらさず、あるいは固定子の固定を阻害することなしに、前記モータへの安全でかつ強固な固定を可能とする装置を提供することである。
【００１０】
本発明のさらなる目的は、上述された特徴を有する電気コネクタ装置であって、実質的に自動化された形態で所望の電気接続を得ることを可能とする装置を提供することである。
【００１１】
これらの目的、および別の目的は、密封式コンプレッサのモータのための電気コネクタ装置によって達成され、モータは、密封シェルの内部に取り付けられるとともに、コイル巻線を収容する重ねられた薄板積層によって形成される固定子を具備し、前記シェルは、電流供給源へ接続される電力インレットプラグを備え、前記電気コネクタ装置は、固定子の薄板積層に対して設置される電気絶縁体を具備するとともに、コイル巻線のそれぞれのワイヤを受けかつ付設させる複数の結合ポストと、結合ポストに電気的に接続されるとともに、それぞれの導体によって、シェルの電力インレットプラグに接続される接触端子と、固定子の薄板積層に設けられた保持穴内に嵌合されかつ固定される少なくとも１つの固定手段とを支持する。
【００１２】
本発明は、添付された図面を参照して、以下に説明される。
【００１３】
（図示された実施の形態の説明）
本発明は、冷凍システムに使用され、かつ垂直シャフトを有するタイプの往復運動コンプレッサ（図１）に関連して説明される。コンプレッサは、密封シェル１を具備する。密封シェル１の内側には、適切な方法で例えばスプリングによって、シリンダブロック２によって形成されたモータ−コンプレッサアセンブリが吊り下げられる。シリンダブロック２には、電気モータが付設され、電気モータの回転子３は、シリンダブロック２に機械加工される主軸受に支持された垂直クランクシャフト４に固定的に取り付けられる。
【００１４】
クランクシャフト４は、その下側部分において、ポンプ回転子を支持しており、そのポンプ回転子は、コンプレッサの動作の間に潤滑を必要とするシリンダブロック２の部品へ、オイルだめ５からオイルを搬送する。
【００１５】
コンプレッサの電気モータは、回転子３に加えて、薄板積層６によって形成される固定子を具備している。薄板は、金属製であり、かつ電気モータからのコイル巻線７を受け入れるための軸方向のハウジングを規定するように、重ねられて整列される。
【００１６】
電気モータは、電流源を電力インレットプラグ８に電気的に接続することによって、図示されていない適切な電流源から電流を供給される。この電力インレットプラグ８は、シェル１に備えられ、かつコンプレッサの電気モータに電気的に接続されている。
【００１７】
本発明によれば、固定子は、後述される電気コネクタ装置２０を支持し、電気コネクタ装置２０は、薄板積層６に対して、例えば端部積層の１つに固定的に設置され、導体３０によって、コンプレッサの電気モータを電力インレットプラグ８へ電気的に接続する。
【００１８】
本発明の電気コネクタ装置２０は、電気絶縁体を具備している。電気絶縁体は、複数のハウジング２１を規定し、各ハウジング２１は、コイル巻線７のそれぞれのワイヤを受け入れかつ付設する結合ポスト２２を備える。前記電気絶縁体は、結合ポスト２２に電気的に接続される接触端子を支持する。接触端子は、例えば在来の配線などのそれぞれの導体３０によって、シェル１の電力インレットプラグ８に接続される。導体３０は、本発明の電気コネクタ装置２０を接続するための第１の端部３１と、コンプレッサの電力インレットプラグ８を接続するための第２の端部３２とを有する。
【００１９】
本発明の電気コネクタ装置２０は、少なくとも１つの固定手段２３をさらに具備している。固定手段２３は、例えば電気絶縁体に組み込まれまたは保持されて、電気絶縁体によって支持され、固定子の薄板積層６に設けられた保持穴１１内に、例えば締まりばめによって嵌合され、前記保持穴１１内に導入されたときに、薄板積層６に対して固定される。
【００２０】
本発明を実施する１つの方法によれば、保持穴１１は、製造の過程において作成され、本発明の電気コネクタ装置２０が設置されるときに薄板積層６に既に存在する穴である。保持穴１１は、前記薄板積層６の製造の過程において、コイル巻線７を受け入れるハウジングに対して外側に、前記薄板積層６に軸方向に規定される。前記保持穴１１は、薄板積層６の金属塊と干渉しないように、前もって計算された所定の径「ｄ」を有する。
【００２１】
図示された固定手段２３は、本発明の電気コネクタ装置２０の絶縁体の一部から下方に延びる突出部の形態をなしており、固定手段２３は、実質的に前記突出部の軸方向の拡張部分に沿う、外周リブ２４の拡張部を備える。前記外周リブ２４は、互いに平行に整列され、かつ弾性的で可撓性であり、保持穴１１内に導入される。外周リブ２４は、固定手段２３について、保持穴１１の径よりも大きな径「Ｄ」を規定し、突出部を保持穴１１の内部に導入した後、前記突出部を除去しようとする作用は、保持穴１１の径を超える外周リブ２４の角度位置における変更を必要とし、したがって本発明の電気コネクタ装置２０を固定子に対して固定する。
【００２２】
本発明によれば、電気コネクタ装置２０は、支持係止部２５を有する。支持係止部２５は、電気絶縁体に支持され、前記電気絶縁体の後部から角度をもって突出する。支持係止部２５は、前記固定子の薄板積層６に対する本発明の電気コネクタ装置２０の固定に際して、固定子のコイル巻線７の隣接部位に付設され、前記支持係止部２５は、例えば、コイル巻線７の固定時に前記コイル巻線７に固定される。
【００２３】
支持係止部２５は、本発明の電気コネクタ装置２０が、固定子に一層安全に保持されることを可能とする構造的な選択肢であり、固定子のコイル巻線７に固定されているとしても、前記電気コネクタ装置２０を固定子に固定するために使用される固定する２つのポイントを無くすだけである。
【００２４】
本発明の電気コネクタ装置２０の電気絶縁体は、薄板積層６に対するコネクタ装置の配置のための案内を規定する、少なくとも１つの前部フランジ２６をさらに有しており、前部フランジ２６は、前記固定子の薄板積層６の隣接する外壁部に対して設置される。
【００２５】
図示によれば、本発明の電気コネクタ装置２０の絶縁体は、結合ポスト２２を受けるハウジング２１に隣接して、電気接触端子を規定し、電気接触端子は、コンプレッサのシェル１の電力インレットプラグ８に接続される電気導体３０の第１の端部３１の電気端子に接続される。
【００２６】
図示によれば、本発明の電気絶縁体を接触させるためのハウジング２１は、「Ｖ」字プロファイルを持つ上部インレット口２７を有し、Ｖ字プロファイルの頂点部が受台２８に開口するタイプである。受台２８部分は、コイル巻線７のワイヤ部分を受け入れ、前記ワイヤ部分を保持しかつその移動を回避するとともに、動作中におけるコンプレッサの振動により生ずる疲労に起因する破壊の可能性を回避する。
【図面の簡単な説明】
【図１】
図１は、本発明の電気コネクタ装置を用いてコンプレッサのモータとシェルとの間の電気的接続をもたらす、垂直シャフトを有する往復運動タイプの密封式コンプレッサの長手方向の直径断面図を概略的に示している。
【図２】
図２は、従来技術に従った、電気モータの固定子、前記固定子の巻線、およびコンプレッサの密封シェルを接続するために設けられる巻線を電気的に接続するためのワイヤの上面図を概略的に示している。
【図３】
図３は、本発明の電気コネクタ装置を用いて、固定子、前記固定子の巻線、およびコンプレッサの密封シェルを接続するために設けられる巻線を電気的に接続するためのワイヤを示す、電気モータの固定子の下面図を概略的に示している。
【図４】
図４は、固定子に対するその組立て前における、本発明の電気コネクタ装置の正面図を概略的に示している。
【図５】
図５は、本発明の電気コネクタ装置の一部の側部の長手方向断面図を概略的に示している。
【図６】
図６は、本発明の電気コネクタ装置を上面図として概略的に示している。
【図１】
2004515713.tif 000003
【図２】
2004515713.tif 000004
【図３】
2004515713.tif 000005
【図４】
2004515713.tif 000006
【図５】
2004515713.tif 000007
【図６】
2004515713.tif 000008
【国際公開パンフレット】
2004515713.tif 000009
2004515713.tif 000010
2004515713.tif 000011
2004515713.tif 000012
2004515713.tif 000013
2004515713.tif 000014
2004515713.tif 000015
2004515713.tif 000016
2004515713.tif 000017
2004515713.tif 000018
2004515713.tif 000019
2004515713.tif 000020
2004515713.tif 000021
2004515713.tif 000022
2004515713.tif 000023
2004515713.tif 000024
【国際公開パンフレット（コレクトバージョン）】
2004515713.tif 000025
2004515713.tif 000026
【国際調査報告】
2004515713.tif 000027
2004515713.tif 000028
2004515713.tif 000029